(57)【要約】【課題】  ユーザの好みに合わせた様々な再生順で再生可能な動画再生制御方法及び画像再生装置を提供する。【解決手段】  リモコンユニット２に設けられたｗｅｂボタンが押されるとＷＷＷブラウザ１８を起動させ、ＤＶＤディスク３のコンテンツ識別情報３３を取得する。ＷＷＷブラウザ１８はＷＷＷサーバ４にアクセスしてコンテンツ識別情報３３を送信する。ＷＷＷサーバ４は、コンテンツ識別情報３３に対応する再生順メニューを送り、モニタ５に表示させる。ユーザが所望の再生順を選択すると、ナビゲーションマネージャ２１はプレゼンテーションレイヤー２２を制御してプレゼンテーションデータ３２の再生制御を行うことにより、選択した再生順でＤＶＤディスク３を再生させる。【選択図】      図１
2005222691.tif 000002
【特許請求の範囲】
【請求項１】
動画像ストリームとこの動画像ストリームの再生位置を指定するするためのインデックス情報とを少なくとも格納した蓄積媒体を再生する画像再生装置で使用される動画再生制御方法において、
所定のアドレスで指定されたサーバにネットワークを介してアクセスして、前記蓄積媒体を特定するための識別情報を前記サーバに送信する送信ステップと、
前記識別情報によって特定された前記蓄積媒体に対応して、前記蓄積媒体に含まれる複数のコンテンツを選択するためのメニュー情報を前記サーバから受信する受信ステップと、
前記メニュー情報を表示部に表示させる表示ステップと、
前記表示部に表示された前記メニュー情報における複数のコンテンツの中から所望のコンテンツを選択する選択ステップと、
前記インデックス情報を使用して前記選択ステップにて選択した所望のコンテンツに対応した前記動画像ストリームを再生する再生ステップとを含むことを特徴とする動画再生制御方法。
【請求項２】
前記識別情報は前記蓄積媒体に固有の識別情報であり、前記動画像ストリームとは別に前記蓄積媒体に予め記憶されていることを特徴とする請求項１記載の動画再生制御方法。
【請求項３】
前記識別情報は、ファイルシステム内に含まれている情報に基づいて作成した識別情報であることを特徴とする請求項１記載の動画再生制御方法。
【請求項４】
動画像ストリームとこの動画像ストリームの再生位置を指定するするためのインデックス情報とを少なくとも格納した蓄積媒体を再生する画像再生装置において、
所定のアドレスで指定されたサーバにネットワークを介してアクセスして、前記蓄積媒体を特定するための識別情報を前記サーバに送信する送信手段と、
前記識別情報によって特定された前記蓄積媒体に対応して、前記蓄積媒体に含まれる複数のコンテンツを選択するためのメニュー情報を前記サーバから受信する受信手段と、
前記メニュー情報を表示部に表示させる表示制御手段と、
前記表示部に表示された前記メニュー情報における複数のコンテンツの中から所望のコンテンツを選択する選択手段と、
前記インデックス情報を使用して前記選択ステップにて選択した所望のコンテンツに対応した前記動画像ストリームを再生する再生手段とを備えることを特徴とする動画再生装置。
【請求項５】
前記識別情報は前記蓄積媒体に固有の識別情報であり、前記動画像ストリームとは別に前記蓄積媒体に予め記憶されていることを特徴とする請求項４記載の動画再生装置。
【請求項６】
前記識別情報は、ファイルシステム内に含まれている情報に基づいて作成した識別情報であることを特徴とする請求項４記載の動画再生装置。
【発明の詳細な説明】
【技術分野】
【０００１】
本発明は、動画再生制御方法及び画像再生装置に係り、特にＤＶＤビデオなどの動画データを所望の再生順で再生するための動画再生制御方法及び画像再生装置に関する
【背景技術】
【０００２】
近年、コンピュータ及びマルチメディア技術の発達に伴い、いわゆるマルチメディア対応のコンピュータシステムが種々開発されている。この種のコンピュータシステムでは、テキストデータやグラフィックスデータの他に、動画や音声データを再生するための機能が設けられている。
このようなコンピュータのマルチメディア化に伴い、最近では、ＣＤ−ＲＯＭに代わる新たな蓄積メディアとしてＤＶＤが注目されている。１枚のＤＶＤ−ＲＯＭメディアには、片面で現在のＣＤ−ＲＯＭの約７倍にあたる４．７Ｇバイト程度のデータを記録することができ、両面記録では９．４Ｇバイト程度のデータを記録できる。このＤＶＤ−ＲＯＭメディアを使用することにより、大量の映像情報を含む映画などの動画像をコンピュータ上で高品質に再生することが可能となる。
【０００３】
ＤＶＤ−ＲＯＭメディアに記録されるビデオ情報のデータ構造はＤＶＤビデオ規格で定められている。ビデオ情報は、大別すると、プレゼンテーションデータとナビゲーションデータの２種類のデータに分けられる。
プレゼンテーションデータは再生されるビデオオブジェクトの集合であり、ビデオ、サブピクチャ、及びオーディオから構成されている。ビデオデータはＭＰＥＧ２方式で圧縮符号化される。また、サブピクチャ及びオーディオの符号化方式としては、ランレングス符号化及びＡＣ−３などがサポートされている。サブピクチャはビットマップデータであり、映画の字幕や、メニュー画面上の選択肢の表示などに用いられる。１つのビデオオブジェクトには、１チャネルのビデオデータ、最大８チャネルまでのオーディオデータ、最大３２チャネルまでのサブピクチャデータを含ませることができる。
【０００４】
ナビゲーションデータは、プレゼンテーションデータの再生手順を制御するために使用されるタイトルやチャプターのような再生単位に区切り再生するためのデータである。タイトル再生時には、このナビゲーションデータに従って動画データの再生順序、再生方法などが制御されて動画の再生が行われる。また、ナビゲーションデータには、ナビゲーションコマンドを埋め込むことができる。ナビゲーションコマンドは、ビデオデータの再生内容や再生順序を変更するためのものである。このナビゲーションコマンドを用いることにより、タイトル作成者はそのタイトルの中に種々の分岐構造を定義することができ、よりインタラクティブなタイトルを作成することが可能となる。
【０００５】
また、このようなＤＶＤビデオ規格のタイトルが世の中に出回り始めた一方で、最近では、インターネットを用いた情報の流通が盛んに行われている。このインターネットの普及により、世界各地のありとあらゆる情報をＷＷＷブラウザによって見ることが可能となっている。
【０００６】
このような環境から、ＤＶＤビデオタイトルとインターネット技術とを融合させたものとして特開平１１−１６１６６３号公報（１９９９年６月１８日公開）「動画再生制御方法及びその方法が適用される画像表示装置」では、ＤＶＤビデオタイトルと、インターネットで提供されるＨＴＭＬファイルなどのハイパーメディアコンテンツとを融合させたサービスが開示されている。この動画再生制御方法は、ＤＶＤビデオ規格の動画像ストリーム内には１ＧＯＰまたは２ＧＯＰ（０．４秒から１秒）のビデオデータ単位でナビゲーションパックと称される管理情報が含まれていることに着眼し、その管理情報の空き領域にハイパーメディア情報を取得するための識別情報を埋め込むことにより、再生中のシーンに対応するハイパーメディア情報の識別情報をリアルタイムに認識して、再生中のシーンの動画映像ごとに、それに対応するＨＴＭＬコンテンツなどのハイパーメディア情報を順次インターネットを通じて取得してそれを再生中のシーンに連動して表示するというものである。
【０００７】
【特許文献１】特開平１１−１６１６６３号公報
【特許文献２】特開平１１−１６２０８９号公報
【特許文献３】特開平１１−２２５３２４号公報
【発明の開示】
【発明が解決しようとする課題】
【０００８】
特開平１１−１６１６６３号公報では、再生中のシーンの動画映像ごとに、それに対応するＨＴＭＬコンテンツなどのハイパーメディア情報を再生中のシーンに連動して表示するため、ＤＶＤビデオディスクの１ＧＯＰまたは２ＧＯＰのビデオデータ単位で表れる管理情報の空き領域にハイパーメディア情報を取得するための識別情報を埋め込む必要があった。そして、ハイパーメディア情報を提供するサーバー側でも再生中のシーンに連動したハイパーメディア情報を用意しておく必要があった。そして、このような動画再生制御方法を実現するためには、ＤＶＤビデオディスクの製作時に、連動させるシーンやハイパーメディア情報の内容などの詳細な内容まで決定しておく必要があり、製作に手間が掛かるだけでなく、後から変更することが困難であった。
【０００９】
また、ナビゲーションデータにナビゲーションコマンドを埋め込んで、ビデオデータの再生内容や再生順序を変更する場合も、ＤＶＤビデオディスクの製作時に、再生順序の詳細まで決定して埋め込む必要があり、それもデータ領域の都合上多くの種類の再生方法を提供することは不可能であり、かつ変更もできなかった。
ＤＶＤビデオディスクの製作には、コンテンツを製作した後でも、ディスクの製造、流通、販売等に時間が掛かるので、ＤＶＤビデオディスクに複雑な再生順など手間の掛かるデータは記録せずに製作したいという要求がある。そして、一方では、ＤＶＤビデオディスクに付加価値を付けるために、ユーザの好みに合わせた様々な再生順などを提供したいという要求もある。
【００１０】
そこで本発明は、ＤＶＤビデオディスクの製作時には詳細な再生順を記録しなくても、ユーザの好みに合わせた様々な再生順で再生可能な動画再生制御方法及び画像再生装置を提供することを目的とする。
【課題を解決するための手段】
【００１１】
本発明は、上述した従来の技術の課題を解決するため、動画像ストリームとこの動画像ストリームの再生位置を指定するするためのインデックス情報とを少なくとも格納した蓄積媒体を再生する画像再生装置で使用される動画再生制御方法において、所定のアドレスで指定されたサーバにネットワークを介してアクセスして、前記蓄積媒体を特定するための識別情報を前記サーバに送信する送信ステップと、前記識別情報によって特定された前記蓄積媒体に対応して、前記蓄積媒体に含まれる複数のコンテンツを選択するためのメニュー情報を前記サーバから受信する受信ステップと、前記メニュー情報を表示部に表示させる表示ステップと、前記表示部に表示された前記メニュー情報における複数のコンテンツの中から所望のコンテンツを選択する選択ステップと、前記インデックス情報を使用して前記選択ステップにて選択した所望のコンテンツに対応した前記動画像ストリームを再生する再生ステップとを含むことを特徴とする動画再生制御方法を提供する。
また、動画像ストリームとこの動画像ストリームの再生位置を指定するするためのインデックス情報とを少なくとも格納した蓄積媒体を再生する画像再生装置において、所定のアドレスで指定されたサーバにネットワークを介してアクセスして、前記蓄積媒体を特定するための識別情報を前記サーバに送信する送信手段と、前記識別情報によって特定された前記蓄積媒体に対応して、前記蓄積媒体に含まれる複数のコンテンツを選択するためのメニュー情報を前記サーバから受信する受信手段と、前記メニュー情報を表示部に表示させる表示制御手段と、前記表示部に表示された前記メニュー情報における複数のコンテンツの中から所望のコンテンツを選択する選択手段と、前記インデックス情報を使用して前記選択ステップにて選択した所望のコンテンツに対応した前記動画像ストリームを再生する再生手段とを備えることを特徴とする動画再生装置を提供する。
ここで、前記識別情報は前記蓄積媒体に固有の識別情報であり、前記動画像ストリームとは別に前記蓄積媒体に予め記憶されていることが好ましい。あるいは、前記識別情報は、ファイルシステム内に含まれている情報に基づいて作成した識別情報であること好ましい。
【発明の効果】
【００１２】
本発明の動画再生制御方法及び画像再生装置は、ＤＶＤビデオ規格を変更することなく、また、詳細な再生順序をディスク製作時に決定しなくても、ユーザの好みに応じた種々の再生を可能にすることができる。
また、サーバ内のデータを書き換えるだけで再生順の追加・削除や修正を簡単に行うことができるので、再生順を指定する制御信号のバグの修正や新たな再生順の提案などをディスクの発売後でも行うことができるという効果がある。
【発明を実施するための最良の形態】
【００１３】
以下、図面を参照しながら本発明の実施の形態を詳細に説明する。図１は、本発明の一実施形態に係る画像再生装置のハードウェア及びソフトウェアの基本構成を示すブロック図である。この画像再生装置１は、デジタルビデオプレーヤやセットトップボックス、あるいはパーソナルコンピュータとして使用されるものであり、コンピュータグラフィクス、及び動画像などを専用のディスプレイモニタや家庭用ＴＶに表示する機能を有する。
【００１４】
同図に示す画像再生装置１は、ＤＶＤビデオ情報を再生するために必要な主なハードウェアとして、ＤＶＤディスクからそれに記録された情報を読み出すＤＶＤドライブユニット１１、このＤＶＤドライブユニット１１から読み出されたＭＰＥＧ２プログラムストリームで構成されるＤＶＤビデオ情報（ビデオ、サブピクチャ、オーディオ）をデコードするＡＶデコーダ１２、ディスプレイモニタ５へ信号を出力するための制御を行うＶＧＡコントローラ１３、リモコンユニット（選択手段）２からの操作信号を受光するリモコン受光ユニット１４、インターネット接続のための通信装置（ＩＳＤＮカードまたはモデム、送受信手段）１５及びソフトウエアやＵＲＬなどを含むデータを格納しているＲＯＭとデータ処理のための一時的な記憶装置であるＲＡＭ（共に図示せず）などを備えている。
【００１５】
ＶＧＡコントローラ１３は、ＣＰＵの制御の下に、このシステムのディスプレイモニタ５として使用されるＣＲＴディスプレイやＬＣＤを制御するものであり、ＶＧＡ仕様のテキスト及びグラフィクス表示の他、動画表示をサポートする。このＶＧＡコントローラ１３には、グラフィックス表示制御回路、ビデオ表示制御回路、マルチプレクサ、及びＤ／Ａコンバータ等が設けられており、ＡＶデコーダから供給される画像・音声データをモニタ５に出力すると共に、ＷＷＷブラウザ（送受信手段）１８からＨＴＭＬコンテンツが供給されるときにはＨＴＭＬコンテンツも表示する。また、ＶＧＡコントローラ１３は、デジタルＹＵＶデータとオーディオデータをＮＴＳＣ方式のＴＶ信号に変換して外部のＴＶ受像機のビデオ入力に出力する機能も有している。
【００１６】
ＤＶＤドライブユニット１１は、ＤＶＤディスク３に蓄積されたＤＶＤビデオストリームを読み出すために、モータ、ピックアップ、ピックアップドライブ、サーボコントローラ、エラー検出及び訂正のためのＥＣＣ回路を含むドライブコントローラなどから構成されている。そして、モータ、ピックアップ、ピックアップドライブ、サーボコントローラ、及びドライブコントローラは、ＤＶＤディスク３を駆動し、そのＤＶＤディスク３に記録されたデータを読み出す。
【００１７】
ＤＶＤディスク３には、ＤＶＤビデオタイトルを構成するナビゲーションデータ（インデックス情報）３１及びプレゼンテーションデータ（動画像ストリーム）３２に加え、ＤＶＤディスク３を識別するためのＤＶＤディスク３固有のデータであるコンテンツ識別情報（識別情報）などが格納されている。
【００１８】
そして、ＤＶＤディスク３には、例えば、片面で１３５分程度の映画を記録させることができる。この映画情報を構成するプレゼンテーションデータには、主映像（ビデオ）、３２チャネルまでの副映像（サブピクチャ）、及び８チャネルまでの音声（オーディオ）を含ませることができる。ＭＰＥＧ２規格では、ＭＰＥＧ２で符号化されたデータに、他の符号化データを含ませることができ、それら符号化データは１本のＭＰＥＧ２プログラムストリームとして扱われる。ビデオの符号化にはＭＰＥＧ２を使用し、サブピクチャ及びオーディオの符号化にはそれぞれランレングス符号化及びＤＯＬＢＹ  ＡＣ３が使用される。この場合でも、それら符号化されたビデオ、サブピクチャ、及びオーディオは、１本のＭＰＥＧ２プログラムストリームとして扱われる。ＭＰＥＧ２規格の符号化処理は可変レート符号化であり、単位時間当りに記録／再生する情報量を異ならせることができる。よって、動きの激しいシーンほど、それに対応するフレーム群を構成するＭＰＥＧストリームの転送レートを高くすることによって、高品質の動画再生が可能となる。
【００１９】
ＤＶＤディスク３に記録されているコンテンツの再生は、画像再生装置１のＤＶＤ再生制御プログラム１６によって制御される。このＤＶＤ再生制御プログラム１６は、実際には前述の各種ハードウェアを制御するためのドライバ群と、それらドライバ群を用いてコンテンツの再生を行うアプリケーションプログラムなどから構成されるが、このＤＶＤ再生制御プログラム１６の機能を見てみると、ナビゲーションマネージャ２１とプレゼンテーションレイヤー２２とに分類することができる。ナビゲーションマネージャ２１は、ナビゲーションデータ３１としてＤＶＤディスク３から供給されるタイトルやチャプターもしくは動画像ストリームの各画面の再生時刻（時間）やフレーム番号など、画面を指定することができるインデックス情報を用いて、制御信号として供給される再生順序に従ってインデックス情報を指定することで、プレゼンテーションデータ３２の再生順序をプレゼンテーションレイヤー２２に指定するものである。
【００２０】
プレゼンテーションレイヤー（識別情報読み出し手段）２２は、ナビゲーションマネージャ２１からの指示に応じて動画のタイトル再生を行い、ＭＰＥＧ２ストリームをＡＶデコーダ１２に出力する。また、ＤＶＤディスク３のコンテンツ識別情報３３を読み出して出力する。
【００２１】
ＷＷＷブラウザ（送受信手段）１８は、ＨＴＴＰと称されるプロトコルを用いて外部のＷＷＷサーバ４と通信するためのＷＷＷクライアントであり、通信装置１５を介して外部のＷＷＷサーバ４からＨＴＭＬファイルを受け取り、それをＶＧＡコントローラ１３を用いてモニタ５に出力し、画面表示させるものである。また、インターフェースプログラム１７は、リモコン受光ユニット１４、ＤＶＤ再生制御プログラム１６及びＷＷＷブラウザ１８から信号を受け取り、受け取った信号を変換してＤＶＤ再生制御プログラム１６及びＷＷＷブラウザ１８へ出力するインターフェース機能を実現するプログラムである。そして、インターフェースプログラム１７は、表示すべきＨＴＭＬコンテンツの所在（ＷＷＷサーバ４）を示すＵＲＬなどのアドレス情報をＲＯＭから取り出し、それをＷＷＷブラウザ１８に通知する機能も有している。
【００２２】
外部のＷＷＷサーバ４へのアクセス及び再生順序の選択などは、リモコンユニット２によるユーザからの指示によって決定される。リモコンユニット２から出力されるユーザからの指示は、リモコン受光ユニット１４を介してインターフェースプログラム１７に入力される。また、キーボードやマウス操作を用いてユーザからの指示をインターフェースプログラム１７に通知することもできる。
【００２３】
このような構成の画像再生装置１における動画再生制御方法について、図２のフローチャートと共に説明する。
画像再生装置１にＤＶＤディスク３が装着された状態で、操作者によってリモコンユニット２に設けられたｗｅｂボタンが押されると（ステップ１０１→Ｙ）、画像再生装置１のリモコン受光ユニット１４でリモコンユニット２からの赤外信号光を受光し、インターフェースプログラム１７に供給してＷＷＷブラウザ１８にコントロール信号を出力してＷＷＷブラウザ１８を起動し、ＷＷＷブラウザ１８からＨＴＭＬコンテンツを出力してＶＧＡコントローラ１３を介してモニタ５に表示する（ステップ１０２）。モニタ５には、画像再生装置１がＤＶＤディスク３のプレゼンテーションデータの再生をしていない停止中であれば、ＷＷＷブラウザ１８からのＨＴＭＬコンテンツ画面５２のみが表示され、再生中であれば図３に示すように、ＤＶＤ再生画面５１と共にＨＴＭＬコンテンツ画面５２が表示される。
【００２４】
また、インターフェースプログラム１７から出力される信号により、ＤＶＤ再生制御プログラム１６のプレゼンテーションレイヤー２２は、ＤＶＤディスク３のコンテンツ識別情報３３を取得し、インターフェースプログラム１７を介してＷＷＷブラウザ１８に渡す。ＷＷＷブラウザ１８は記憶されているＵＲＬの示すＷＷＷサーバ４に通信装置１５とインターネットを介してアクセスし、取得したコンテンツ識別情報３３を送信する（ステップ１０３）。ここで、コンテンツ識別情報（ＩＤ）３３はＢＣＡエリアなどの動画像ストリームとは関係のないところに記憶しておけば良く、また、別途記憶しておかなくてもファイルシステム内のPrimary Volume Descriptor 領域に書かれている、Volume Identifier, Volume Copyright Notice, Recording Date and Time などの情報を幾つか組合せることにより、ＤＶＤディスク３を特定するコンテンツ識別情報３３としてもよい。そして、ＷＷＷサーバ４にアクセスするためのＵＲＬは、画像再生装置１に記憶していてもよいが、ユーザがＤＶＤディスク３のパッケージなどに書かれているＵＲＬをリモコンユニット２等から入力するようにしてもよい。
【００２５】
ＷＷＷサーバ４は、ＤＶＤディスク３のプレゼンテーションデータ３２の所望のシーンのみを集めたり、所望の再生順で再生したりできるように、そのシーンのタイトルやチャプターもしくは時間を指定するデータ群からなる再生順ファイルを作成し、この再生順ファイルを複数種類用意すると共に再生順ファイルを指定するためにファイル名をリストアップした再生順メニュー５４を記憶している。そして、この再生順メニュー５４は、ＤＶＤディスク３の種類ごとに用意されており、コンテンツ識別情報３３で指定される。そして、コンテンツ識別情報３３を受信すると、受信したコンテンツ識別情報３３に対応する再生順メニュー５４のＨＴＭＬファイルをコンテンツ識別情報３３を送信した画像再生装置１のＷＷＷブラウザ１８に送り、モニタ５に表示させる（ステップ１０４）。
【００２６】
ここで、図３はモニタ５上に表示される画面例を示す図であり、ＤＶＤビデオ再生画面５１とＨＴＭＬコンテンツ画面５２とを同時に表示した場合の表示画面の一例を示すものである。同図に示すように、画面上には、ＤＶＤ再生制御プログラム１６によって提供されるＤＶＤビデオ再生画面５１と、画像再生装置１内に記憶されているＵＲＬが指定されて外部のＷＷＷサーバ４からＷＷＷブラウザ１８によって取得されたＨＴＭＬコンテンツ５２とが同時に表示されている。そして、ＨＴＭＬコンテンツ５２内には、コンテンツ識別情報３３により特定されるＤＶＤディスク３の再生順序を選択するための再生順メニュー５４が含まれている。
【００２７】
再生順メニュー５４には、ＤＶＤディスク３に記録されているコンテンツの名称５５と再生順の種類５６が表示されており、この状態で、例えばユーザがリモコンユニット２に設けられたカーソルキーを押すなどの入力操作やキーボード、マウスなどによる選択操作などを行って、表示されている再生順の種類５６の中から所望の再生順を選択する（ポインタ５７で指定する）ことにより（ステップ１０５）、制御信号が画像再生装置１のＷＷＷブラウザ１８に供給され、選択された再生順の種類に対応する再生順ファイルがＷＷＷサーバ４から読み出され、インターフェースプログラム１７を介してＤＶＤ再生制御プログラム１６のナビゲーションマネージャ２１に再生順ファイルに含まれる制御信号を送信する（ステップ１０６）。
【００２８】
ナビゲーションマネージャ２１はインターフェースプログラム１７を介して供給される制御信号に従ってＤＶＤディスク３のナビゲーションデータ３１に記録されているチャプターなどを指定して、プレゼンテーションレイヤー２２を制御してプレゼンテーションデータ３２の再生制御を行うことにより、選択した再生順でのＤＶＤビデオの再生を行うことができる（ステップ１０７）。
【００２９】
なお、画像再生装置１がハードディスク等を備えており、ＷＷＷサーバ４から取得したＨＴＭＬコンテンツ５２をキャッシュすることが可能な場合には、一度再生してＨＴＭＬコンテンツ５２を取得したＤＶＤディスク３を再度再生するときに、ＷＷＷサーバ４にアクセスせずにキャッシュされているＨＴＭＬコンテンツ５２を画面表示して、先とは異なる再生順序が選択された場合にのみＷＷＷサーバ４にアクセスすることは可能である。
【００３０】
また、図３の再生順メニュー５４では、ＤＶＤディスク３に記録されているコンテンツの名称５５が「アメリカの風景（LANDSCAPE OF AMERICA）」の場合に、再生順の種類５６の種類としてアメリカの地域をリストアップし、地域（州）ごとの選択を可能にしているが、例えば、建物や自然、乗り物など異なるカテゴリーで再生順リストを表示して選択するようにしても良く、「アメリカの風景」のＤＶＤディスク３で再生可能な全ての再生順を再生順の種類５６として表示することができる。これは、他のＤＶＤディスク３でも同様であり、コンテンツの内容に応じた様々な再生順をリストアップして再生順の種類５６として表示すればよい。そして、この再生順の種類５６は、追加削除及びその内容の修正などもＷＷＷサーバ４内のデータを変更するだけなので随時可能となる。
【図面の簡単な説明】
【００３１】
【図１】本発明の実施形態に係る画像再生装置を実現するためのハードウェア及びソフトウェアの基本構成を示すブロック図である。
【図２】本発明の実施形態に係る動画像再生制御方法の手順例を示すフローチャート図である。
【図３】同実施形態の画像再生装置によるＤＶＤビデオとＨＴＭＬコンテンツとの連動表示画面の一例を示す図である。
【符号の説明】
【００３２】
１  画像再生装置
２  リモコンユニット（選択手段）
３  ＤＶＤディスク
４  ＷＷＷサーバ
５  モニタ
１１  ＤＶＤドライブユニット
１２  ＡＶデコーダ
１３  ＶＧＡコントローラ
１４  リモコン受光ユニット
１５  通信装置（送受信手段）
１６  ＤＶＤ再生制御プログラム（再生手段）
１７  インターフェースプログラム
１８  ＷＷＷブラウザ（送受信手段）
２１  ナビゲーションマネージャ
２２  プレゼンテーションレイヤー（識別情報読み出し手段）
３１  ナビゲーションデータ（インデックス情報）
３２  プレゼンテーションデータ（動画像ストリーム）
３３  コンテンツ識別情報（識別情報）
【図１】
2005222691.tif 000003
【図２】
2005222691.tif 000004
【図３】
2005222691.tif 000005